【事件の表示】
　特願２００７−１４２４６７「太陽電池モジュール及びその製造方法」拒絶査定不服審判事件〔平成２０年１２月１１日出願公開、特開２００８−３００４４９〕について、次のとおり審決する。
【結　論】
　本件審判の請求は、成り立たない。
【理　由】
１　手続の経緯 
　平成１９年　５月２９日　特許出願　
　平成２４年　７月２０日　拒絶理由通知（同年７月２４日発送） 
　平成２４年　９月２１日　意見書・手続補正書 
　平成２５年　３月２５日　拒絶査定（同年４月２日送達） 
　平成２５年　６月２８日　本件審判請求・手続補正書 
　平成２５年　９月　９日　審尋（同年９月１０日発送） 
　平成２５年１０月１１日　回答書 
　平成２６年　３月　４日　拒絶理由通知（同年３月１１日発送、以下「当審拒絶理由」という。） 
　平成２６年　４月２８日　意見書・手続補正書 
　
２　本願発明 
　本願の請求項１乃至５に係る発明は、平成２６年４月２８日付け手続補正により補正された特許請求の範囲の請求項１乃至５に記載された事項により特定されるとおりのものであるところ、請求項１の記載は以下のとおりである。
　
「光を受光する受光面と前記受光面の反対側の裏面とを有し、受光により電力を発生する発電領域と、前記発電領域の外側に形成された非発電領域と、を備え、バイパスダイオードを有する端子ボックスが前記裏面側に設けられた太陽電池モジュールであって、
　前記発電領域に設けられ、第１方向に従って配列された複数の太陽電池を有する第１の太陽電池群と、
　前記第１の太陽電池群に電気的に接続され前記非発電領域に延びる第１導電部と、前記第１方向に略直交する第２方向において前記第１導電部と並んで配置されるとともに前記第１の太陽電池群に電気的に接続され前記非発電領域に延びる第２導電部と、前記非発電領域において前記第１導電部と前記第２導電部とを電気的に接続する第３導電部と、を備えた導電材と、
　前記導電材に接続されるとともに前記第１方向に沿って設けられた第１取出し配線部と、前記発電領域内で前記第１取出し配線部に連なって前記第２方向に沿って設けられた第２取出し配線部と、を有し、前記発電領域によって発生される電力を前記端子ボックスに導いて前記太陽電池モジュールの外部に取出す取出し配線と、
　前記発電領域に設けられ、第１方向に従って配列された複数の太陽電池を有し、前記第２方向に従って前記第１の太陽電池群と並んで配列された第２の太陽電池群と、
　前記第２の太陽電池群に電気的に接続され前記非発電領域に延びる配線材と、
　前記非発電領域において、前記第２の太陽電池群に隣接する太陽電池群と前記配線材とを接続する太陽電池群接続部材と、
　前記太陽電池群接続部材に接続されるとともに前記第１方向に沿って設けられた第１バイパスダイオード接続用配線部と、前記発電領域内で前記第１バイパスダイオード接続用配線部に連なって前記第２方向に沿って設けられた第２バイパスダイオード接続用配線部と、を有し、前記バイパスダイオードに接続するためのバイパスダイオード接続用配線と、
　を備える太陽電池モジュールであって、
　太陽電池モジュールの裏面に平行な投影面上において、
　前記取出し配線と前記バイパスダイオード接続用配線が交わらず、
　前記発電領域と前記非発電領域の境界で、前記第１導電部及び前記第２導電部と前記第１取出し配線部とは離間して配置され、
　前記発電領域と前記非発電領域の境界で、前記配線材と前記第１バイパスダイオード接続用配線部とは離間して配置され、
　前記発電領域で、前記配線材と前記取出し配線と交わる、ことを特徴とする太陽電池モジュール。」（以下「本願発明」という。）
　
３　引用発明 
（１）引用する刊行物 
　当審拒絶理由に引用され、本願の出願前に頒布された刊行物である特開２０００−１０１１２２号公報（以下「刊行物」という。）には、図面とともに以下の記載がある（当審注：下線は当審が付加した）。
　
ア　「【０００１】
【発明の属する技術分野】本発明は太陽電池モジュールに係り、特に表面部材及び裏面部材が透光性を有することにより、表裏両側からの光入射を可能とした両面入射型の太陽電池モジュールに関する。」
　
イ　「【０００２】
【従来の技術】クリーンで無尽蔵のエネルギー源である太陽から入射する光のエネルギーを直接電気に変換することのできる太陽電池は、石油・石炭等の化石エネルギーに代わる新しいエネルギー源として期待され、実用化が進められている。斯かる太陽電池を実際のエネルギー源として用いるにあたっては、通常複数枚の太陽電池を電気的に直列、或いは並列接続することによりその出力を高めた太陽電池モジュールが使用されている。
【０００３】図６乃至９を参照して従来の
太陽電池モジュール
【０００４】これらの図において、１はガラス、プラスチック等の透光性を有する材料からなる表面部材であり、２は裏面部材である。裏面部材２としては通常Ａｌ箔を樹脂フィルムでサンドイッチした構造を有する３層構造の部材が用いられる。
【０００５】３…は太陽電池であり、例えば
内部にｐｎ接合を有する単結晶Ｓｉからなる太陽電池
太陽電池３…が７２枚、８列×９行のマトリクス状に配列され、銅薄板等の金属薄板よりなる接続部材４…にて電気的に直列接続され
ＥＶＡ等の透光性且つ絶縁性を有する封止材５により表面部材１と裏面部材２との間に封止され、その周囲にはアルミニウム等の加工し易い金属からなる枠体６が取り付けられ
【０００６】
太陽電池３…にて発生した電力は、電力引き出し線１１、１１により裏面部材２の背面に設けられた端子ボックス１０，１０へ引き出され、そしてこの端子ボックス１０，１０から電力ケーブル
により外部に出力され
【０００７】ところで、このように複数の太陽電池を直列接続して動作させる形態では、建物の影や降雪等の影響により一部の太陽電池への太陽光の入射が遮られた場合、正常に発電している他の太陽電池からの総発生電圧が逆方向電圧という形で上記一部の太陽電池に印加される。そしてこの逆方向電圧が太陽電池の耐圧を越えると、太陽電池が破壊されてしまう。或いは、上記一部の太陽電池が発熱し、ＥＶＡの変色、発泡又は太陽電池が割れる等の不具合が生じる。
【０００８】このような問題を解決するため、通常は太陽電池を複数枚毎の太陽電池群に分割し、これらの太陽電池群と並列で且つ逆方向にバイパスダイオードを設けている。
【０００９】例えば、上述した太陽電池モジュールでは
７２枚の太陽電池３…を１８枚毎の太陽電池群の４組に分割し、そしてこれらの太陽電池群にバイパスダイオード２１を接続用配線１２により電気的に並列接続し
バイパスダイオード２１は
端子ボックス１０内に配置されて
　
ウ　「【図面の簡単な説明】
…
【図６】従来の太陽電池モジュールの平面図である。
【図７】図６におけるＢ−Ｂ’線の断面図である。
【図８】従来の太陽電池モジュールの背面図である。
【図９】従来の端子ボックスの構造を説明するための説明図である。」
　
エ　図６乃至図９は、以下のものである。
図６
図７
図８
図９
（２）引用発明　
ア　上記（１）イによれば、以下の太陽電池モジュールが記載されている。
　内部にｐｎ接合を有する単結晶Ｓｉからなる太陽電池３…が７２枚、８列×９行のマトリクス状に配列され、銅薄板等の金属薄板よりなる接続部材４…にて電気的に直列接続され、ＥＶＡ等の透光性且つ絶縁性を有する封止材５により表面部材１と裏面部材２との間に封止され、その周囲にはアルミニウム等の加工し易い金属からなる枠体６が取り付けられた太陽電池モジュールであって、
　太陽電池３…にて発生した電力は、電力引き出し線１１、１１により裏面部材２の背面に設けられた端子ボックス１０，１０へ引き出され、そしてこの端子ボックス１０，１０から電力ケーブルにより外部に出力され、
　７２枚の太陽電池３…を１８枚毎の太陽電池群の４組に分割し、そしてこれらの太陽電池群にバイパスダイオード２１を接続用配線１２により電気的に並列接続し、
　バイパスダイオード２１は端子ボックス１０内に配置されている、
太陽電池モジュール。
　
イ　上記（１）イ、ウを踏まえて図６乃至図９を見ると、以下の事項が看て取れる。
　
（ア）８列×９行のマトリクス状に配列された各太陽電池は、列毎に、２本の平行な接続部材４により直列接続されていること。
（イ）８列×９行のマトリクス状に配列された太陽電池のうち、１行目に位置する各太陽電池は、２本の平行な接続部材４が枠体６の方向に引き出されて互いに接続されていること（以下、接続されている部分を「接続部材接続部」という。）。
（ウ）前記１行目に位置する太陽電池のうち、２列目と３列目、４列目と５列目、６列目と７列目の太陽電池の接続部材接続部は、互いに接続されていること。
（エ）電力引き出し線１１は、前記１行目に位置する太陽電池のうち、１列目と８列目の太陽電池の接続部材接続部から、接続部材４と平行に延び、前記マトリクス状に配列された太陽電池上で接続部材４と直交する方向に折曲し、さらに、接続部材４と平行な方向に折曲して端子ボックス１０まで配設されていること。
（オ）接続用配線１２は、前記１行目に位置する太陽電池のうち、３列目と６列目の太陽電池の接続線接続部から、端子ボックス１０まで接続部材４と平行に直線状に配設され、４列目と５列目の太陽電池の接続線接続部から、接続部材４と平行に延び、前記マトリクス状に配列された領域上で接続部材４と直交する方向に折曲し、さらに、接続部材４と平行な方向に折曲して端子ボックス１０まで配設されていること。
（カ）前記電力引き出し線１１と前記接続用配線１２が交わらず、離間して配設されていること。
（キ）接続部材４と電力引き出し線１１は、太陽電池３上で交わること。
　
ウ　以上のことから、刊行物には以下の発明が記載されている。
「内部にｐｎ接合を有する単結晶Ｓｉからなる太陽電池３…が７２枚、８列×９行のマトリクス状に配列され、銅薄板等の金属薄板よりなる接続部材４…にて電気的に直列接続され、ＥＶＡ等の透光性且つ絶縁性を有する封止材５により表面部材１と裏面部材２との間に封止され、その周囲にはアルミニウム等の加工し易い金属からなる枠体６が取り付けられた太陽電池モジュールであって、
　太陽電池３…にて発生した電力は、電力引き出し線１１、１１により裏面部材２の背面に設けられた端子ボックス１０，１０へ引き出され、そしてこの端子ボックス１０，１０から電力ケーブルにより外部に出力され、
　７２枚の太陽電池３…を１８枚毎の太陽電池群の４組に分割し、そしてこれらの太陽電池群にバイパスダイオード２１を接続用配線１２により電気的に並列接続し、
　バイパスダイオード２１は端子ボックス１０内に配置されており、
　更に、下記（ア）〜（キ）を備える太陽電池モジュール。
（ア）８列×９行のマトリクス状に配列された各太陽電池は、列毎に、２本の平行な接続部材４により直列接続されていること。
（イ）８列×９行のマトリクス状に配列された太陽電池のうち、１行目に位置する各太陽電池は、２本の平行な接続部材４が枠体６の方向に引き出されて互いに接続されていること。
（ウ）前記１行目に位置する太陽電池のうち、２列目と３列目、４列目と５列目、６列目と７列目の太陽電池の接続部材接続部は、互いに接続されていること。
（エ）電力引き出し線１１は、前記１行目に位置する太陽電池のうち、１列目と８列目の太陽電池の接続部材接続部から、接続部材４と平行に延び、前記マトリクス状に配列された太陽電池上で接続部材４と直交する方向に折曲し、さらに、接続部材４と平行な方向に折曲して端子ボックス１０まで配設されていること。
（オ）接続用配線１２は、前記１行目に位置する太陽電池のうち、３列目と６列目の太陽電池の接続線接続部から、端子ボックス１０まで接続部材４と平行に直線状に配設され、４列目と５列目の太陽電池の接続線接続部から、接続部材４と平行に延び、前記マトリクス状に配列された領域上で接続部材４と直交する方向に折曲し、さらに、接続部材４と平行な方向に折曲して端子ボックス１０まで配設されていること。
（カ）前記電力引き出し線１１と前記接続用配線１２が交わらず、離間して配設されていること。
（キ）接続部材４と電力引き出し線１１は、太陽電池３上で交わること。」（以下「引用発明」という。）　
　
４　対比
　本願発明と引用発明を対比する。
（１）引用発明の「太陽電池モジュール」は、本願発明の「太陽電池モジュール」に相当する。そして、引用発明の「太陽電池モジュール」は、「…太陽電池３…が」「…表面部材１と裏面部材２との間に封止され…」ているから、「表面部材１と裏面部材２」を有する。ここで、太陽電池モジュールの「表面」は太陽光を受光する受光面であることは技術常識であるから、引用発明の「太陽電池モジュール」が「表面部材１と裏面部材２」を有することは、本願発明の「太陽電池モジュール」が「光を受光する受光面と前記受光面の反対側の裏面とを有」することに相当する。
　また、引用発明は「太陽電池３…が７２枚、８列×９行のマトリクス状に配列され、…、その周囲にはアルミニウム等の加工し易い金属からなる枠体６が取り付けられ」ているところ、引用発明の「太陽電池３…が７２枚、８列×９行のマトリクス状に配列され」ている領域が本願発明の「受光により電力を発生する発電領域」に相当し、引用発明の「太陽電池３…が７２枚、８列×９行のマトリクス状に配列され」ている領域と「その周囲に」取り付けられている「アルミニウム等の加工し易い金属からなる枠体６」との間の領域が本願発明の「前記発電領域の外側に形成された非発電領域」に相当する。
　引用発明は「バイパスダイオード２１は端子ボックス１０内に配置されて」いるところ、引用発明の「バイパスダイオード２１」が配置されている「端子ボックス１０」は、本願発明の「バイパスダイオードを有する端子ボックス」に相当する。そして、引用発明は「…裏面部材２の背面に設けられた端子ボックス１０…」との特定事項を有するところ、引用発明の「端子ボックス１０」が「裏面部材２の背面に設けられ」たことは、本願発明の「端子ボックスが前記裏面側に設けられた」ことに相当する。
　以上のことから、引用発明の「…太陽電池３…が７２枚、８列×９行のマトリクス状に配列され、…、その周囲にはアルミニウム等の加工し易い金属からなる枠体６が取り付けられた太陽電池モジュールであって、…裏面部材２の背面に設けられた端子ボックス１０，１０…、…バイパスダイオード２１は端子ボックス１０内に配置されており、…を備える太陽電池モジュール」は、本願発明の「光を受光する受光面と前記受光面の反対側の裏面とを有し、受光により電力を発生する発電領域と、前記発電領域の外側に形成された非発電領域と、を備え、バイパスダイオードを有する端子ボックスが前記裏面側に設けられた太陽電池モジュール」に相当する。
　
（２）引用発明は「太陽電池３…が７２枚、８列×９行のマトリクス状に配列」されているところ、引用発明の１列目の９個の太陽電池は、本願発明の「前記発電領域に設けられ、第１方向に従って配列された複数の太陽電池を有する第１の太陽電池群」に相当する。
　
（３）引用発明は「８列×９行のマトリクス状に配列された太陽電池のうち、１行目に位置する各太陽電池は、２本の平行な接続部材４が枠体６の方向に引き出されて互いに接続されている」ところ、引用発明の「枠体６の方向に引き出され」た「２本の平行な接続部材４」は、それぞれ本願発明の「前記第１の太陽電池群に電気的に接続され前記非発電領域に延びる第１導電部」、「前記第１方向に略直交する第２方向において前記第１導電部と並んで配置されるとともに前記第１の太陽電池群に電気的に接続され前記非発電領域に延びる第２導電部」に相当する。
　本願発明の「前記非発電領域において前記第１導電部と前記第２導電部とを電気的に接続する第３導電部」と引用発明の「２本の平行な接続部材４が枠体６の方向に引き出されて互いに接続されている」ことは、「接続部」を備えている点で一致する。
　してみると、本願発明の「前記第１の太陽電池群に電気的に接続され前記非発電領域に延びる第１導電部と、前記第１方向に略直交する第２方向において前記第１導電部と並んで配置されるとともに前記第１の太陽電池群に電気的に接続され前記非発電領域に延びる第２導電部と、前記非発電領域において前記第１導電部と前記第２導電部とを電気的に接続する第３導電部と、を備えた導電材」と、引用発明の「枠体６の方向に引き出され」た「２本の平行な接続部材４」であって、「２本の平行な接続部材４が枠体６の方向に引き出されて互いに接続されている」ことは、「前記第１の太陽電池群に電気的に接続され前記非発電領域に延びる第１導電部と、前記第１方向に略直交する第２方向において前記第１導電部と並んで配置されるとともに前記第１の太陽電池群に電気的に接続され前記非発電領域に延びる第２導電部と、前記非発電領域において前記第１導電部と前記第２導電部とを電気的に接続する接続部と、を備えた導電材」の点で一致する。
　
（４）本願発明の「前記導電材に接続されるとともに前記第１方向に沿って設けられた第１取出し配線部と、前記発電領域内で前記第１取出し配線部に連なって前記第２方向に沿って設けられた第２取出し配線部と、を有し、前記発電領域によって発生される電力を前記端子ボックスに導いて前記太陽電池モジュールの外部に取出す取出し配線」と、引用発明の「（エ）電力引き出し線１１は、前記１行目に位置する太陽電池のうち、１列目の太陽電池の接続部材接続部から、接続部材４と平行に延び、前記マトリクス状に配列された太陽電池上で接続部材４と直交する方向に折曲し、さらに、接続部材４と平行な方向に折曲して端子ボックス１０まで配設されていること」を対比する。
　引用発明の「電力引き出し線１１」は本願発明の「取出し配線」に相当し、引用発明の「電力引き出し線１１」のうち「接続部材接続部から、接続部材４と平行に延び」る部分が本願発明の「前記導電材に接続されるとともに前記第１方向に沿って設けられた第１取出し配線部」に相当し、引用発明の「太陽電池上で接続部材４と直交する方向に折曲し」た以降の部分が本願発明の「前記発電領域内で前記第１取出し配線部に連なって前記第２方向に沿って設けられた第２取出し配線部」に相当する。してみると両者は相当関係にある。
　
（５）引用発明は「…太陽電池３…が７２枚、８列×９行のマトリクス状に配列され」るところ、２列目の太陽電池が１列目の太陽電池と並んで配列されるといえる。そうすると、引用発明において「…太陽電池３…が７２枚、８列×９行のマトリクス状に配列され」ることは、本願発明の「前記発電領域に設けられ、第１方向に従って配列された複数の太陽電池を有し、前記第２方向に従って前記第１の太陽電池群と並んで配列された第２の太陽電池群」を備えることに相当する。
　
（６）引用発明は「（イ）８列×９行のマトリクス状に配列された太陽電池のうち、１行目に位置する各太陽電池は、２本の平行な接続部材４が枠体６の方向に引き出されて互いに接続されている」から、引用発明の２列目１行目に位置する太陽電池は、２本の平行な接続部材４が枠体６の方向に引き出されて互いに接続されている。そうすると、引用発明の２列目１行目に位置する太陽電池から枠体６の方向に引き出される２本の平行な接続部材４は、本願発明の「前記第２の太陽電池群に電気的に接続され前記非発電領域に延びる配線材」に相当する。
　
（７）引用発明において「（ウ）前記１行目に位置する太陽電池のうち、２列目と３列目…の太陽電池の接続部材接続部は、互いに接続されている」ことは、本願発明の「前記非発電領域において、前記第２の太陽電池群に隣接する太陽電池群と前記配線材とを接続する太陽電池群接続部材」に相当する。
　
（８）本願発明の「前記太陽電池群接続部材に接続されるとともに前記第１方向に沿って設けられた第１バイパスダイオード接続用配線部と、前記発電領域内で前記第１バイパスダイオード接続用配線部に連なって前記第２方向に沿って設けられた第２バイパスダイオード接続用配線部と、を有し、前記バイパスダイオードに接続するためのバイパスダイオード接続用配線」と、引用発明の「そしてこれらの太陽電池群にバイパスダイオード２１を接続用配線１２により電気的に並列接続し、バイパスダイオード２１は端子ボックス１０内に配置されており」、「（オ）接続用配線１２は、前記１行目に位置する太陽電池のうち、３列目と６列目の太陽電池の接続線接続部から、端子ボックス１０まで接続部材４と平行に直線状に配設され、４列目と５列目の太陽電池の接続線接続部から、接続部材４と平行に延び、前記マトリクス状に配列された領域上で接続部材４と直交する方向に折曲し、さらに、接続部材４と平行な方向に折曲して端子ボックス１０まで配設されている」ことを対比する。
　引用発明の「接続用配線１２」は本願発明の「バイパスダイオード接続用配線」に相当する。そうすると、両者は、「前記太陽電池群接続部材」を「前記バイパスダイオードに接続するためのバイパスダイオード接続用配線」の点で一致する。
　
（９）本願発明の「太陽電池モジュールの裏面に平行な投影面上において、前記取出し配線と前記バイパスダイオード接続用配線が交わらず、前記発電領域と前記非発電領域の境界で、前記第１導電部及び前記第２導電部と前記第１取出し配線部とは離間して配置され、前記発電領域と前記非発電領域の境界で、前記配線材と前記第１バイパスダイオード接続用配線部とは離間して配置され、前記発電領域で、前記配線材と前記取出し配線と交わる」ことと、引用発明の「（カ）前記電力引き出し線１１と前記接続用配線１２が交わらず、離間して配設されていること。（キ）接続部材４と電力引き出し線１１は、太陽電池３上で交わること。」を対比する。
　引用発明の「前記電力引き出し線１１と前記接続用配線１２が交わら」ないことは、本願発明の「前記取出し配線と前記バイパスダイオード接続用配線が交わら」ないことに相当する。
　そして、引用発明の「前記電力引き出し線１１と前記接続用配線１２が…離間して配設されている」ことは、本願発明の「前記発電領域と前記非発電領域の境界で、前記配線材と前記第１バイパスダイオード接続用配線部とは離間して配置され」ていることに相当し、引用発明の「（キ）接続部材４と電力引き出し線１１は、太陽電池３上で交わること」は、本願発明の「前記発電領域で、前記配線材と前記取出し配線と交わる」ことに相当する。
　してみると、両者は、「太陽電池モジュールの裏面に平行な投影面上において、前記取出し配線と前記バイパスダイオード接続用配線が交わらず、前記発電領域と前記非発電領域の境界で、前記配線材と前記第１バイパスダイオード接続用配線部とは離間して配置され、前記発電領域で、前記配線材と前記取出し配線と交わる」の点で一致する。
　
（１０）以上のことから、本願発明と引用発明は、
「光を受光する受光面と前記受光面の反対側の裏面とを有し、受光により電力を発生する発電領域と、前記発電領域の外側に形成された非発電領域と、を備え、バイパスダイオードを有する端子ボックスが前記裏面側に設けられた太陽電池モジュールであって、
　前記発電領域に設けられ、第１方向に従って配列された複数の太陽電池を有する第１の太陽電池群と、
　前記第１の太陽電池群に電気的に接続され前記非発電領域に延びる第１導電部と、前記第１方向に略直交する第２方向において前記第１導電部と並んで配置されるとともに前記第１の太陽電池群に電気的に接続され前記非発電領域に延びる第２導電部と、前記非発電領域において前記第１導電部と前記第２導電部とを電気的に接続する接続部と、を備えた導電材と、
　前記導電材に接続されるとともに前記第１方向に沿って設けられた第１取出し配線部と、前記発電領域内で前記第１取出し配線部に連なって前記第２方向に沿って設けられた第２取出し配線部と、を有し、前記発電領域によって発生される電力を前記端子ボックスに導いて前記太陽電池モジュールの外部に取出す取出し配線と、
　前記発電領域に設けられ、第１方向に従って配列された複数の太陽電池を有し、前記第２方向に従って前記第１の太陽電池群と並んで配列された第２の太陽電池群と、
　前記第２の太陽電池群に電気的に接続され前記非発電領域に延びる配線材と、
　前記非発電領域において、前記第２の太陽電池群に隣接する太陽電池群と前記配線材とを接続する太陽電池群接続部材と、
　前記太陽電池群接続部材を前記バイパスダイオードに接続するためのバイパスダイオード接続用配線と、
　を備える太陽電池モジュールであって、
　太陽電池モジュールの裏面に平行な投影面上において、
　前記取出し配線と前記バイパスダイオード接続用配線が交わらず、
　前記発電領域と前記非発電領域の境界で、前記配線材と前記第１バイパスダイオード接続用配線部とは離間して配置され、
　前記発電領域で、前記配線材と前記取出し配線と交わる太陽電池モジュール。」
の点で一致し、以下の点で相違する。
　
（相違点１）第１導電部と第２導電部とを電気的に接続する接続部が、本願発明では第３導電部であるのに対し、引用発明ではそのようなものか否か明らかでない点。
　
（相違点２）バイパスダイオード接続用配線が、本願発明では、「前記第１方向に沿って設けられた第１バイパスダイオード接続用配線部と、前記発電領域内で前記第１バイパスダイオード接続用配線部に連なって前記第２方向に沿って設けられた第２バイパスダイオード接続用配線部と、を有」するのに対し、引用発明では、「３列目…の太陽電池の接続線接続部から、端子ボックス１０まで直線状に配設され」ている点。
　
（相違点３）本願発明は「前記発電領域と前記非発電領域の境界で、前記配線材と前記第１バイパスダイオード接続用配線部とは離間して配置され」るのに対し、引用発明は、配線部材４と接続用配線１２とは離間して配置されるものか否か明らかでない点
　
５　判断
（１）上記相違点１、相違点３について、まとめて検討する。
　刊行物の図８は太陽電池モジュールの背面を概略的に描いた図であり、２本の平行な接続部材４が互いに接続される接続構造が必ずしも明確でなく、また、接続部材４、電力引き出し線１１、接続用配線１２の幅や位置関係が、必ずしも明確ではない。ここで、一般に、太陽電池の接続部材４、電力引き出し線１１、接続用配線１２の幅が太陽電池３の幅に比べて十分に細いことは、技術常識である（例えば、太陽電池の一辺の長さは１０ｃｍ程度であるのに対し、接続部材４、電力引き出し線１１、接続用配線１２の幅は数ｍｍ程度以下であること、また、２本の平行な接続部材４の間隔は、数ｃｍ程度であることが一般的である。）。
　上記事項を踏まえて検討すると、引用発明は、「（イ）８列×９行のマトリクス状に配列された太陽電池のうち、１行目に位置する各太陽電池は、２本の平行な接続部材４が枠体６の方向に引き出されて互いに接続されている」ところ、２本の平行な接続部材４を互いに接続する構造として、例えば、当審拒絶理由通知に引用した特開２００７−１０３５３７号公報の図１１の端部接続タブ２ａと電力ケーブル２ｅの接続構造の如く、２本の平行な接続部材の端部において、その延伸方向と直交する方向に導電部材で接続する構成は周知であるから、引用発明に上記周知の構造を採用し、上記相違点１に係る本願発明の発明特定事項の如く構成することは、当業者が適宜なし得る程度のものと認められる。
　また、上記のとおり、一般に、太陽電池の接続部材４、接続用配線１２の幅は太陽電池３の幅に比べて十分に細いことを踏まえると、接続部材４と接続用配線１２を離間して配置し、上記相違点３に係る本願発明の発明特定事項の如く為すことに格別の困難性は認められない。
　
（２）上記相違点２について
　引用発明は、「（オ）接続用配線１２は、前記１行目に位置する太陽電池のうち、３列目…の接続線接続部から、端子ボックス１０まで接続部材４と平行に直線状に配設され」ているとともに、引用発明の「接続用配線１２は、前記１行目に位置する太陽電池のうち、…、４列目と５列目の太陽電池の接続線接続部から、接続部材４と平行に延び、前記マトリクス状に配列された領域上で接続部材４と直交する方向に折曲し、さらに、接続部材４と平行な方向に折曲して端子ボックス１０まで配設されて」いる。そうすると、接続線接続部から端子ボックス１０まで、接続用配線１２を直線状に配設するか、あるいは、第１の方向とそれに連なる第２の方向に接続用配線を配設するかは、接続線接続部と端子ボックスの位置関係等に応じて決まる設計事項にすぎないものと認められる。
　してみると、引用発明において、上記相違点２に係る本願発明の発明特定事項の如く為すことに格別の困難性は認められない。
　
（３）作用効果について
　本願発明が奏する作用効果は、引用発明と周知技術に基づいて当業者が予測しうる程度のものであって、格別のものとは認められない。
　
（４）意見書における請求人の主張について
　請求人は、平成２６年４月２８日付け意見書において、本願は、太陽電池の端部において取出し配線（１０）と導電部（４）とが交わらず、そこに応力が集中することによる太陽電池の割れや欠けの発生を抑制することができ、また、バイパスダイオード接続用配線（２０）と配線材（２）についても同じ効果を奏する旨主張するので、以下、請求人の上記主張について検討する。
　上記５（１）に記載したとおり、一般に、太陽電池の接続部材４、接続用配線１２の幅は太陽電池３の幅に比べて十分に細いことを踏まえると、引用発明は、太陽電池の端部において、接続部材や配線が交わるものではない。そして、当審拒絶理由で引用した刊行物３（特開２００６−２７８６９９号公報）には、ラミネート工程などにおいて、不均一なはんだの厚みに起因して、太陽電池素子に割れやクラックが発生することが記載されるなど、太陽電池素子が脆弱なものであることが当業者に周知の技術事項であることを踏まえると、太陽電池に割れや欠けが発生しないように、接続部材や配線を配置することは、当業者が適宜なし得る設計事項にすぎないものと認められる。
　したがって、請求人の上記主張は採用できない。
　
６　むすび 
　以上のとおり、本願発明は、引用発明と周知技術に基いて当業者が容易に発明をすることができたものであるから、特許法第２９条第２項の規定により特許を受けることができないものである。　 
　よって、上記結論のとおり審決する。